【事件の表示】
　特願２００４−３１４０２７「プラズマディスプレイパネル」拒絶査定不服審判事件〔平成１７年　６月　２日出願公開、特開２００５−１４２１５４〕について、次のとおり審決する。
【結　論】
　本件審判の請求は、成り立たない。
【理　由】
１　手続の経緯
　平成１６年１０月２８日　特許出願（優先権主張　平成１５年１１月７日　　　　　　　　　　　　　、米国）
　平成２０年　３月２４日　拒絶理由通知（同年３月２６日発送）
　平成２０年　６月２６日　意見書・手続補正書
　平成２１年　８月１３日　拒絶理由通知（最後、同年８月１８日発送）
　平成２１年１１月１６日　意見書・手続補正書
　平成２２年　７月２３日　補正却下の決定（平成２１年１１月１６日付け　　　　　　　　　　　　　手続補正）・拒絶査定（同年７月２７日送達）
　平成２２年１０月２７日　本件審判請求・手続補正書
　平成２３年　７月１９日　審尋（同年７月２６日発送）
　平成２３年１０月２４日　回答書
　平成２４年　４月１３日　拒絶理由通知（同年４月１７日発送）
　平成２４年　７月１７日　意見書・手続補正書
　平成２４年　９月２８日　拒絶理由通知（同年１０月２日発送）
　平成２５年　２月　４日　意見書・手続補正書
　
２　本願発明
　本願の請求項１〜１２に係る発明は、平成２５年２月４日付け手続補正により補正された特許請求の範囲の請求項１から７に記載された事項により特定されるとおりのものであるところ、請求項１の記載は以下のとおりである。　
「ディスプレイパネルであって、
　前面基板と、
　背面基板と、
　前記前面基板と前記背面基板の間に、隔壁で区切られることにより形成され、少なくとも一色の光を放射するために構成される発光層を含む複数のディスプレイセルと、
　前記複数のディスプレイセルの少なくとも一つに接続される複数の表示電極と、
　前記複数のディスプレイセルの少なくとも一つに接続される複数のアドレス電極と、
　前記複数のディスプレイセルの前記隔壁の表面を覆うように網状に形成されている遮光層と、
　を含み、
　前記複数のディスプレイセルの内表面は、前記発光層で覆われており、
　前記複数のディスプレイセルは、デルタ構造に配置されていることを特徴とするディスプレイパネル。」（以下「本願発明」という。）
　
３　引用発明
（１）　引用する刊行物
　平成２０年３月２４日付けで通知した拒絶の理由に引用され、本願の優先日前に頒布された刊行物である特開２０００−１９５４３１号公報（以下「刊行物」という。）には、図面とともに以下の記載がある（なお、刊行物は、平成２１年８月１３日付けで通知した拒絶の理由、平成２４年９月２８日付けで通知した拒絶の理由でも引用されている。）。
　
ア　「【特許請求の範囲】
【請求項１】 
前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と前記背面基板との間に配置されて井桁状に形成された列方向に延びる縦壁部と行方向に延びる横壁部によって前記放電空間を前記単位発光領域毎に行方向と列方向に区画する隔壁と、
前記誘電体層の前記隔壁の横壁部に対向する部分に横壁部側に張り出すように形成されて横壁部との間を閉じる嵩上げ部と、
を備えていることを特徴とするプラズマディスプレイパネル。
…
【請求項３】  
前記隔壁によって単位発光領域毎に区画された前記放電空間に面する隔壁の縦壁部と横壁部の側面および列電極が設けられた背面基板側の面に蛍光体層が形成されている請求項１に記載のプラズマディスプレイパネル。
【請求項４】  
前記隔壁の前面基板に対向する部分に光吸収層が形成され、この隔壁によって区画された前記放電空間に面する部分に光反射層が形成されている請求項１に記載のプラズマディスプレイパネル。
　
イ　「【請求項１６】  前記隔壁によって区画された前記単位発光領域が、隣接する二つの表示ラインにおいて互いに行方向に単位発光領域の幅方向の寸法の半分ずつずれるように配置され、各単位発光領域内に蛍光体層が形成され、この蛍光体層の色が行方向において赤，緑，青の順に設定されるとともに、この蛍光体層の色が隣接する二つの表示ラインの互いに行方向に幅方向の寸法の１．５倍ずつずれる単位発光領域において同じになるように設定され、
隣接する二つの表示ライン行方向に跨ってデルタ状に配置される赤，緑，青に色分けされた三つの単位発光領域によって一つの画素が構成される
　
ウ　「【００５７】図１ないし５は、この発明によるプラズマディスプレイパネル（以下、ＰＤＰという）の実施形態の第１の例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００５８】この図１ないし５に示されるＰＤＰは、図２２ないし２４の従来のＰＤＰと同様に、背面側基板に蛍光体層を配置した反射型と呼ばれる交流駆動方式の面放電型ＰＤＰである。図１ないし５において、表示面である前面ガラス基板１０の背面に、複数の行電極対（Ｘ，Ｙ）が、前面ガラス基板１０の行方向（図１の左右方向）に延びるように平行に配列されている。
【００５９】行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００６０】この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００６１】透明電極Ｘａ，Ｙａは、ＩＴＯを前面ガラス基板１０に蒸著し、フォトリソ法によりパターニングすることにより、形成される。バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
…
【００６５】一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
…
【００６７】背面ガラス基板１３の表示側の面上には、さらに、列電極Ｄを被覆する白色の誘電体層１４が形成され、この誘電体層１４上に、隔壁１５が形成されている。
【００６８】白色の誘電体層１４は、白色顔料を混入させたガラスペーストを背面ガラス基板１３および列電極Ｄ上に塗布して焼成することによって、形成される。隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００６９】そして、この井桁状の隔壁１５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。
この隔壁１５は、その表示面側に形成されたが黒色層（光吸収層）１５’と背面側の白色層（光反射層）１５”の二層構造に形成されており、放電空間Ｓに面する側壁面がほぼ白色（すなわち、光反射層）になるように構成されている。
【００７０】この井桁状の隔壁１５は、誘電体層１４上に白色顔料を混入させた低融点ガラスペーストと黒色顔料を混入させた低融点ガラスペーストを順に塗布して焼成した後、井桁状のマスク（黒色層上にフィルム状のレジストを積層し、井桁状のマスクによって露光および現像を行って井桁状の開口部をレジスト層に形成したもの）を介して、サンドブラスト法により、白色および黒色のガラス層を切削することによって形成される。
【００７１】隔壁１５の縦壁１５ａの表示側の面は保護層１２に当接されておらず（図４参照）、その間に隙間ｒが形成されているが、横壁１５ｂの表示側の面が、保護層１２の嵩上げ誘電体層１１Ａを被覆している部分に当接されていて（図２および５参照）、列方向において隣接する放電空間Ｓとの間がそれぞれ遮蔽されている。
【００７２】
放電空間Ｓに面する隔壁１５の縦壁１５ａおよび横壁１５ｂの側面と誘電体層１４の表面には、これらの五つの面を全て覆うように蛍光体層１６が、それぞれ順に形成されている。
【００７３】上記のＰＤＰは、行電極対（Ｘ，Ｙ）がそれぞれマトリクス表示画面の１表示ライン（行）Ｌを構成し、また、井桁状の隔壁１５によって区画された放電空間Ｓが、それぞれ一つの放電セルＣを画定している。このＰＤＰにおける画像表示は、従来のＰＤＰと同様に行われる。すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。
…
【００８１】さらに、上記ＰＤＰは、背面ガラス基板１３上に形成された誘電体層１４が白色になっていることにより、蛍光体層１６によって発光される光を表示側に反射して、背面側に逃げるのを防止することにより、表示画面の輝度を増加させることが出来る。また、この誘電体層１４によって、サンドプラスト時の保護層の役割が果たされる。さらに、
上記ＰＤＰは、隔壁１５の表示側の面に黒色層１５’が形成されていることによって、前面ガラス基板１０を通して入射してくる外光が反射されるのを防止して、表示画面のコントラストを向上させることができる。
　
エ　「【０１０９】次に、この発明の実施形態における第９の例を、図２０に基づいて説明する。図２０は、この第９の例のＰＤＰにおいて、ＲＧＢの三色に色分けされた三個の放電セルＣによって構成される画素の構成を模式的に表す平面図である。
【０１１０】この図２０において、列方向において隣接する二つの表示ラインＬに配列される放電セルＣは、井桁状の隔壁１５Ｃによって、互いに放電セルＣの幅方向の寸法の半分ずつ表示ラインＬ方向にずれるように区画されている。そして、各放電セルＣの蛍光体層のＲ，Ｇ，Ｂの色が、列方向において隣接する二つの表示ラインＬの互いに半分ずつ表示ラインＬ方向にずれるように配置された放電セルＣにおいて同じになるように、設定されている。
【０１１１】このため、列電極ＤＣは、列方向において隣接する二つの表示ラインＬにおいて半分ずつ表示ラインＬ方向にずれるように配置された放電セルＣに対応して、ジグザグに屈曲する形状に形成されている。
【０１１２】一つの画素ＧＣは、図に示されるように、表示ラインＬ方向に並ぶＲ，Ｇ，Ｂの三個の放電セルＣによって構成され、従って、画素ＧＣは、列方向において隣接する二つの表示ラインＬにおいて、互いに放電セルＣが半分ずつ表示ラインＬ方向にずれるように配列される。
【０１１３】この例におけるＰＤＰは、上記のように画素ＧＣが表示ラインＬ毎に放電セルＣが半分ずつずれるように配置されることによって、
表示画面の解像度を向上する
　
（２）　引用発明
　上記「（１）ア」、「（１）ウ」の記載によれば、刊行物には、以下の発明が記載されているものと認められる。
「前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と前記背面基板との間に配置されて井桁状に形成された列方向に延びる縦壁部と行方向に延びる横壁部によって前記放電空間を前記単位発光領域毎に行方向と列方向に区画する隔壁と、
前記誘電体層の前記隔壁の横壁部に対向する部分に横壁部側に張り出すように形成されて横壁部との間を閉じる嵩上げ部と、
を備え、
　前記隔壁によって単位発光領域毎に区画された前記放電空間に面する隔壁の縦壁部と横壁部の側面および列電極が設けられた背面基板側の面に蛍光体層が形成され、
　前記隔壁の前面基板に対向する部分に光吸収層が形成され、この隔壁によって区画された前記放電空間に面する部分に光反射層が形成されている、
　プラズマディスプレイパネル。」（以下「引用発明」という。）
　
（３）　刊行物に記載された技術事項
　上記「（１）イ」、「（１）エ」の記載によれば、刊行物には、以下の技術事項が記載されているものと認められる。
「隣接する二つの表示ライン行方向に跨ってデルタ状に配置される赤、緑、青に色分けされた三つの単位発光領域によって一つの画素を構成し、表示画面の解像度を向上する技術手段。」（以下「刊行物に記載された技術手段」という。）
　
４　対比
　本願発明と、引用発明を対比する。
（１）引用発明の「プラズマディスプレイパネル」が本願発明の「ディスプレイパネル」に相当し、以下同様に、「前面基板」が「前面基板」に、「背面基板」が「背面基板」に、「蛍光体層」が「発光層」に、「複数の行電極対」が「複数の表示電極」に、「複数の列電極」が「複数のアドレス電極」に、それぞれ相当する。
（２）引用発明の「隔壁によって単位発光領域毎に区画され」、「隔壁の縦壁部と横壁部の側面および列電極が設けられた背面基板側の面に蛍光体層が形成」された「放電空間」の複数は、本願発明の「隔壁で区切られることにより形成され、少なくとも一色の光を放射するために構成される発光層を含む複数のディスプレイセル」に相当し、引用発明において「隔壁の縦壁部と横壁部の側面および列電極が設けられた背面基板側の面に蛍光体層が形成」されていることは、本願発明において「ディスプレイセルの内表面は、前記発光層で覆われて」いることに相当する。
（３）引用発明の「光吸収層」が本願発明の「遮光層」に相当する。そして、引用発明における「隔壁」は、「前記前面基板と前記背面基板との間に配置されて井桁状に形成された列方向に延びる縦壁部と行方向に延びる横壁部によって前記放電空間を前記単位発光領域毎に行方向と列方向に区画する」ものであるから、「隔壁の前面基板に対向する部分」は「井桁状」である。そうすると、引用発明において前記「光吸収層」が「隔壁の前面基板に対向する部分に」形成されていることは、本願発明において前記「遮光層」が「隔壁の表面を覆うように網状に形成されている」ことに相当する。
（４）してみると、本願発明と引用発明は、
「ディスプレイパネルであって、
　前面基板と、
　背面基板と、
　前記前面基板と前記背面基板の間に、隔壁で区切られることにより形成され、少なくとも一色の光を放射するために構成される発光層を含む複数のディスプレイセルと、
　前記複数のディスプレイセルの少なくとも一つに接続される複数の表示電極と、
　前記複数のディスプレイセルの少なくとも一つに接続される複数のアドレス電極と、
　前記複数のディスプレイセルの前記隔壁の表面を覆うように網状に形成されている遮光層と、
　を含み、
　前記複数のディスプレイセルの内表面は、前記発光層で覆われている、
　ディスプレイパネル。」
の点で一致し、以下の点で相違する。
　
相違点：「複数のディスプレイセル」の配置が、本願発明では「デルタ構造」であるのに対し、引用発明では「井桁状」である点。
　
５　判断
（１）相違点について
　刊行物には、上記「３（３）」で認定したとおり、「隣接する二つの表示ライン行方向に跨ってデルタ状に配置される赤、緑、青に色分けされた三つの単位発光領域によって一つの画素を構成し、表示画面の解像度を向上する技術手段」が開示されている。ここで、「赤、緑、青に色分けされた三つの単位発光領域」のそれぞれは、引用発明の「隔壁によって単位発光領域毎に区画され」、「隔壁の縦壁部と横壁部の側面および列電極が設けられた背面基板側の面に蛍光体層が形成」された「放電空間」に相当する。
　そして、プラズマディスプレイパネルを含む表示装置の技術分野において、表示画面の解像度を向上させることは一般的な技術課題であるから、引用発明においても、前記一般的な技術課題を解決する目的で、刊行物に記載された技術手段を採用し、上記相違点に係る本願発明の発明特定事項となすことは、当業者が容易に想到し得たことと認められる。
（２）本願発明の作用効果について
　そして、本願発明が奏する作用効果は、引用発明と刊行物に記載された技術手段に基づき当業者が容易に予測しうる程度の作用効果であり、格別顕著なものとは認められない。
　審判請求人は、平成２５年２月４日付け意見書において、「本願発明は、隣接セルへの光の漏れを防止してコントラスト比を向上させるために、デルタ構造のセルと、遮光層で覆われた隔壁とを組み合わせた点に特徴があり…」、「本願発明は、この構造が実質的に一列に並ばないことからより多くの光を吸収する」旨主張する。
　以下、上記審判請求人の主張について検討する。引用発明の放電空間に面する隔壁の前面基板に対向する部分には光吸収層が形成されているから、放電空間からの光を吸収するところ、審判請求人主張に係る効果は、引用発明において、放電空間をデルタ構造に配置することに伴う効果として当業者が容易に予測し得る程度のものに過ぎず、格別顕著なものとは言えない。よって、審判請求人の上記主張は採用できない。　
（３）小括
　以上のとおり、本願発明は、引用発明と刊行物に記載された技術事項に基づいて当業者が容易に発明をすることができたものである。
　
６　むすび 
　以上のとおり、本願発明は、引用発明と刊行物に記載された技術事項に基いて当業者が容易に発明をすることができたものであるから、特許法第２９条第２項の規定により特許を受けることができない。 
　よって、結論のとおり審決する。